(57)【要約】      （修正有）【課題】片手で機器類を保持し、他方の手で機器類の表側画面を操作するときに機器類保持側の手の保持力が緩んで機器類が手から滑り落ちるという事故の発生を未然に防止できるようにしたモバイルタイプの通信機器類とその滑落防止体を提供する。【解決手段】片手持ちしながら、表側の操作画面を操作する使用形態としたモバイル通信機器本体１の背面１２に、人差し指または中指に摩擦抵抗感を感じさせるための滑り止め手段２６、通信機器背面１２の上部１３方向に向かう指掛け部、厚さ方向に盛り上がった指当て用突起を形成してある滑落防止体２を貼着させた通信機器と、このような機能を保持させた滑落防止体とする。【選択図】図２
0003176505.tif 000002
【実用新案登録請求の範囲】
【請求項１】
片手持ちしながら、表側の操作画面(11)を操作する使用形態としたモバイル通信機器本体(1)の背面(12)に、
人差し指または中指に摩擦抵抗感を感じさせるための滑り止め手段(26)を表面(21)に形成してある滑落防止体(2)を貼着させてあるモバイル通信機器。
【請求項２】
片手持ちしながら、表側の操作画面(11)を操作する使用形態としたモバイル通信機器本体(1)の背面(12)に、
人差し指または中指を引っ掛けるための指掛け部(28)を当該モバイル通信機器本体背面(12)の上部(13)方向に向かう対向面(2a)に形成してある滑落防止体(2)を貼着させてあるモバイル通信機器。
【請求項３】
片手持ちしながら、表側の操作画面(11)を操作する使用形態としたモバイル通信機器本体(1)の背面(12)に、
人差し指または中指を引っ掛けるための厚さ方向に盛り上がった指当て用突起(25)を表面(21)に突出形成してある滑落防止体(2)を貼着させてあるモバイル通信機器。
【請求項４】
片手持ちしながら、表側の操作画面(11)を操作する使用形態としたモバイル通信機器本体(1)の背面(12)に貼着させて使用する滑落防止体(2)であって、
該滑落防止体(2)の背面(22)をモバイル通信機器本体(1)の背面(12)への貼着面とし、かつ、モバイル通信機器本体背面(12)への貼着姿勢において、
人差し指または中指に摩擦抵抗感を感じさせるための滑り止め手段(26)を表面(21)に形成してあるモバイル通信機器用滑落防止体。
【請求項５】
片手持ちしながら、表側の操作画面(11)を操作する使用形態としたモバイル通信機器本体(1)の背面(12)に貼着させて使用する滑落防止体(2)であって、
該滑落防止体(2)の背面(22)をモバイル通信機器本体(1)の背面(12)への貼着面とし、かつ、モバイル通信機器本体背面(12)への貼着姿勢において、
人差し指または中指を引っ掛けるための指掛け部(28)を当該モバイル通信機器本体背面(12)の上部(13)方向に向かう対向面(2a)に形成してあるモバイル通信機器用滑落防止体。
【請求項６】
片手持ちしながら、表側の操作画面(11)を操作する使用形態としたモバイル通信機器本体(1)の背面(12)に貼着させて使用する滑落防止体(2)であって、
該滑落防止体(2)の背面(22)をモバイル通信機器本体(1)の背面(12)への貼着面とし、かつ、モバイル通信機器本体背面(12)への貼着姿勢において、
人差し指または中指を引っ掛けるための厚さ方向に盛り上がった指当て用突起(25)を表面(21)に突出形成してあるモバイル通信機器用滑落防止体。
【請求項７】
弾性を備えた天然ゴム・弾性を備えた人造ゴム・弾性を備えた合成樹脂の何れかを素材として形成してある請求項４乃至６の何れかに記載のモバイル通信機器用滑落防止体。
【請求項８】
表面２１側に、無数の微小凹凸(20)を形成してある請求項４乃至７の何れかに記載のモバイル通信機器用滑落防止体。
【考案の詳細な説明】
【技術分野】
【０００１】
本考案は、スマートフォン（多機能携帯電話）、タブレット型パーソナルコンピュータ（タブレットＰＣ）、通信用携帯電話やＰＨＳ電話のような通信機器類を片手で持ちながら、持った手の親指か、他方の手指で、機器類の表面側操作画面の操作を行うようにした形態のモバイル型通信機器類（本考案では、これらの機器類を総称してモバイル通信機器という）に関するものである。
【背景技術】
【０００２】
本考案にいう上記のスマートフォンやタブレットＰＣ、通信用携帯電話機やＰＨＳ電話機を含めたモバイルタイプの通信機器類は、近来、技術的に長足の進歩を遂げ、小型化と軽量化が進み、世界中に急速に普及しつつある。
【先行技術文献】
【特許文献】
【０００３】
【特許文献１】特開平１１−２９８５７６号公報
【特許文献２】登録実用新案第３１６７９８５号公報
【考案の概要】
【考案が解決しようとする課題】
【０００４】
この種のモバイルタイプの通信機器類は、スマートフォンやタブレットＰＣのみならず携帯電話機やＰＨＳ電話機にあっても、その表裏面が平坦な長方形状に形成されていて、その背面は、平滑で突起がなく滑り易い形状となっている。そのため、片手で機器類を保持しながら、持ったその手の親指で画面操作をしたり、他方の手指で画面操作をしたりするとき、背面が滑り易いことと、画面操作に注意力が集中していることなどから、機器類を保持している手の把握力や保持力が疎かになって、機器類が保持した手から滑り落ちる危険性がある。
【０００５】
しかしながら、このように機器類を片手で持ちながら、持った手の親指や他方の手指で画面操作を行う形態としたこの種の通信機器類についての、操作時における不測の落下を未然に防止しようとする先行技術は、現在のところ見当たらない。前記特許文献１に記載の先行技術は、机上に置いた通信機器が、着信時に、着信を知らせるバイブレータの振動によって、通信機器が次第に移動して机上から落下するという事故を防止する技術に関するものである。
【０００６】
また、後者の特許文献２に記載の先行技術は、電子装置の携帯移動時に装置の表面を保護するための保護ケースと保護カバーに関するものであって、電子装置の机上での使用時に任意の角度に傾斜させて使用することができるように、後ろカバーに複数の起伏自在とした支持脚を設けて、電子装置を使用し易くした技術に関するものである。
【０００７】
本考案の主たる目的は、片手で機器類を保持しながら、持ったその手の親指か、他方の手指で機器類の操作画面を操作するときに、画面操作に注意力が集中しすぎて機器類を保持する手の保持力が緩んで保持した機器類が滑り落ちる危険性があるという課題を解決することにあり、このような不測の落下による機器類の破損や損傷事故の発生を未然に防止して、または、少なくとも大幅に減少させることにあり、このような目的を達成し得るモバイル通信機器と、このモバイル通信機器の滑り落ちを防止するための滑落防止体とをここに提案しようとするものである。
【課題を解決するための手段】
【０００８】
該目的を達成するために講じた本考案にいうところのモバイル通信機器に関する構成の第１は、請求項１に記載のように、片手持ちしながら、表側の操作画面１１を操作する使用形態としたモバイル通信機器本体１の背面１２に、人差し指または中指に摩擦抵抗感を感じさせるための滑り止め手段２６を表面２１に形成してある滑落防止体２を貼着させてある構成としたものである。
【０００９】
同構成の第２は、請求項２に記載のように、片手持ちしながら、表側の操作画面１１を操作する使用形態としたモバイル通信機器本体１の背面１２に、人差し指または中指を引っ掛けるための指掛け部２８を当該モバイル通信機器本体背面１２の上部１３方向に向かう対向面２ａに形成してある滑落防止体２を貼着させてある構成としたものである。
【００１０】
また、同構成の第３は、請求項３に記載のように、片手持ちしながら、表側の操作画面１１を操作する使用形態としたモバイル通信機器本体１の背面１２に、人差し指または中指を引っ掛けるための厚さ方向に盛り上がった指当て用突起２５を表面２１に突出形成してある滑落防止体２を貼着させてある構成としたものである。
【００１１】
他方、本考案にいうところのモバイル通信機器用の滑落防止体に関する構成の第１は、請求項４に記載のように、片手持ちしながら、表側の操作画面１１を操作する使用形態としたモバイル通信機器本体１の背面１２に貼着させて使用する滑落防止体２であって、該滑落防止体２の背面２２をモバイル通信機器本体１の背面１２への貼着面とし、かつ、モバイル通信機器本体背面１２への貼着姿勢において、人差し指または中指に摩擦抵抗感を感じさせるための滑り止め手段２６を表面２１に形成してある構成としたものである。
【００１２】
同構成の第２は、請求項５に記載のように、片手持ちしながら、表側の操作画面１１を操作する使用形態としたモバイル通信機器本体１の背面１２に貼着させて使用する滑落防止体２であって、該滑落防止体２の背面２２をモバイル通信機器本体１の背面１２への貼着面とし、かつ、モバイル通信機器本体背面１２への貼着姿勢において、人差し指または中指を引っ掛けるための指掛け部２８を当該モバイル通信機器本体背面１２の上部１３方向に向かう対向面２ａに形成してある構成としたものである。
【００１３】
また、同構成の第３は、請求項６に記載のように、片手持ちしながら、表側の操作画面１１を操作する使用形態としたモバイル通信機器本体１の背面１２に貼着させて使用する滑落防止体２であって、該滑落防止体２の背面２２をモバイル通信機器本体１の背面１２への貼着面とし、かつ、モバイル通信機器本体背面１２への貼着姿勢において、人差し指または中指を引っ掛けるための厚さ方向に盛り上がった指当て用突起２５を表面２１に突出形成してある構成としたものである。
【考案の効果】
【００１４】
本考案にいうモバイル通信機器は、モバイル通信機器本体１の背面１２に、機器を保持する手の人差し指または中指に摩擦抵抗感を感じさせるための滑り止め手段２６や、人差し指または中指を引っ掛けるための指掛け部２８を当該モバイル通信機器本体背面１２の上部１３方向に向かう対向面２ａに形成したものや、人差し指または中指を引っ掛けるための厚さ方向に盛り上がった指当て用突起２５を表面２１に突出形成してある滑落防止体２を貼着させてある構成としてあるので、表側の操作画面を操作することに注意力が集中して機器を保持している手の把握力が多少緩慢になっても、機器を保持している手の人差し指や中指が滑落防止体２に引っ掛かっているため、保持力が増大していて機器類が手から滑り落ちることを大幅に減少させ、落下による機器の損傷事故を未然に防止でき、少なくともこのような滑落事故を大幅に減少させることができ、そのため、機器の操作に神経を集中させ易いという優れた効果を有する。
【００１５】
また、本考案にいうモバイルタイプの通信機器用滑落防止体は、片手で持って操作画面の操作をするという使用形態のモバイル通信機器本体の背面１２に貼着させて使用することができるものであって、この貼着させた状態でのモバイル通信機器は、機器を保持する手の人差し指または中指が滑落防止体に接触することによって、機器の画面操作に注意力が集中しすぎて、機器を保持している手の把握力が低下しかけて機器が手から滑り落ちようとする場合でも、機器が容易に落下して機器が不測に損傷する事態を未然に防止することができ、少なくともこのような機器の滑落事故を大幅に減少させることができるという効果を期待することができる。
【図面の簡単な説明】
【００１６】
【図１】第１実施例のスマートフォンを示す正面側斜視図。
【図２】滑落防止体の貼着状態を示す図１の背面側斜視図。
【図３】図２の左側面図。
【図４】第２実施例としての携帯電話を示す背面側斜視図。
【図５】滑落防止体の他の形態を示す平面図。
【図６】滑落防止体の更に他の形態を示す平面図。
【図７】第３実施例を示すスマートフォンの背面図。
【図８】図７の左側面図。
【図９Ａ】滑落防止体の更なる他の形態を示す拡大図。
【図９Ｂ】滑落防止体の更なる他の形態を示す拡大図。
【図９Ｃ】滑落防止体の更なる他の形態を示す拡大図。
【図９Ｄ】滑落防止体の更なる他の形態を示す拡大図。
【図９Ｅ】滑落防止体の更なる他の形態を示す拡大図。
【図９Ｆ】滑落防止体の更なる他の形態を示す拡大図。
【図１０】第４実施例を示すスマートフォンの背面図。
【図１１】第５実施例を示すタブレットＰＣの背面図。
【図１２】図１１の別の使用例を示すタブレットＰＣの背面図。
【考案を実施するための形態】
【００１７】
上記のような構成とした本考案にいうところのモバイル通信機器用滑落防止体を実施するに当たっては、弾性を備えた天然ゴムや弾性を備えた人造ゴム・弾性を備えた合成樹脂素材を利用して、インゼクション成形したり、適宜厚さのシート状素材をパンチングシア加工によって成形したりすることができる。このような成形手段を用いた場合には効率よく量産できる利点がある。
【００１８】
このような成形手段を採用する場合には、インゼクション金型に無数の凹凸加工を施したものや、シート状素材のパンチングシア金型の表面に予め無数の凹凸加工を施したものを使用することにより、表面２１に無数の凹凸加工を施してある滑落防止体を得ることができる。
【００１９】
該滑落防止体の外形は、円形・方形・楕円形・三角形・星形・ハート形・スペード形その他任意の形状とすることができる。また、滑落防止体全体を略平坦な偏平体としたもののみならず、中央部分に指先当て付け用の厚さ方向に窪んだ凹入部や厚さ方向に貫通した貫通孔を形成したものや、Ｕ字形のような外周縁から中央部に向かって入り込んだスリットを形成してある形状、厚さ方向に盛り上がった指掛け用突起を備えた形状、滑落防止体自体を所要の厚みを備えたものとしてその外周縁部分を指当て部とした形状のものとして実施することができる。
【実施例】
【００２０】
以下本考案の第１実施例について図面に基づいて説明する。該実施例は、本考案にいうところのモバイルタイプの通信機器における代表的な機種としてのスマートフォンについて示したものである。図１にその表面１１側の形状を示し、図２にその背面１２側の形状を示してある。
【００２１】
この機器本体１は、他の機器の場合と同様に、機器本体１の背面１２側は図２，３に示したように、凹凸のない平坦な平滑面に形成されている。この背面１２側の平坦な平滑面の略中央部分またはその近隣部分に、図２に示したように、別途形成した直径１５〜３０ｍｍ程度で、厚さ２〜７ｍｍ程度の円板形状に形成した、ここでは直径約２０ｍｍで肉厚最高部約５ｍｍの丘状に形成し、表面１２側の全面に微小凹凸２０を形成して滑り止め手段２６とした合成ゴム製の滑落防止体２を、その背面２２側を接着剤３を用いて貼着させたものである。この滑落防止体２は、その背面２２に予め接着剤３を塗布し、その表面に剥離紙を仮付けしたものを使用すると便利である。
【００２２】
このようにしておくことによって、モバイル通信機器本体１、ここではスマートフォン１の表面側の操作画面１１の操作時に、同本体１の背面１２側において、その上部１３方向に対向する滑落防止体２の対向面２ａに、機器に保持側の人差し指の側面を当て付け、同時に微小凹凸２０を形成して摩擦係数を増大させた滑り止め手段２６の面に人差し指の一部で覆うようにして機器本体１を保持する。このようにして保持した機器本体１は、表面側の操作画面１１の操作に注意力が集中して機器を保持している手の把握力が無意識に緩んで機器が落ちそうになった場合でも、滑落防止体２が指に接触しているため無意識に機器を握ることとなり、機器が手から滑り落ちて容易に落下しすることを防止でき、機器が不測に損傷する事態を未然に防止することができる。
【００２３】
このことは、図４に第２実施例として示した携帯電話機において、機器本体１Ａを片手持ちしながら、持った手の親指で機器表面側のプッシュボタンをプッシュ操作する場合でも同じである。この場合も、スマートフォン１の実施例の場合と同様に、携帯電話機１Ａの背面１２よりも摩擦係数を増大させてある表面２１を持つ滑落防止体２を携帯電話機１Ａの背面１２に貼着し、機器本体１Ａを持った手の人差し指の側面を滑落防止体２の外周縁に当て付け使用することによって、落下防止できる効果が期待できる。
【００２４】
これらのモバイル通信機器の背面１２側に貼着して使用する滑落防止体２は、図２，４に示した円形の平板体のみに限らず、前記のように適宜の異形形状として実施できるものであるが、その平面形状は、例えば図５の（Ａ）に例示したように、表面２１側の略中央部分に厚さ方向に窪んだ凹入部２３を形成したものとしたり、同図の（Ｂ）に例示したように、同中央部分に厚さ方向に貫通する貫通穴２４を形成してあるものとして実施することができ、更には同図の（Ｃ）に例示したように、例えば概略Ｕ字形のように、外周縁に向かって開口するスリット２４ａを形成してある形状として実施することができる。
【００２５】
また、滑り止め手段２６としては、前記の実施例に示した微小凹凸２０に代えて、またはこれらの微小凹凸２０と共に、図６に示したように、その他の滑り止め手段を講じることができる。図６の（Ａ）は、滑り止め手段２６として、滑落防止体２の表面２１側の略中央部分に集中させて、小突起または小凹部を形成したものである。同図の（Ｂ）に示した滑り止め手段２６は、横幅方向の全長に伸びる平行な凹凸線を全面に形成したもの、同図（Ｃ）の滑り止め手段２６は、上下方向の中央部分に適宜幅の凹凸横線を複数本形成したもの、同図（Ｄ）の滑り止め手段２６は、上下方向の中央部分に一本の凸横線を横一杯に形成したもの、同図（Ｅ）の滑り止め手段２６は、上下方向の中央部分に横幅一杯に伸びる波形凸条を形成したものである。
【００２６】
図７及び８は第３実施例のスマートフォン１を示したもので、図７は滑落防止体２を貼着した状態を示す背面図、図８はその左側面図である。該実施例に示した滑落防止体２の平面視形状は、スマートフォン１の背面１２の形状とほぼ相似した縦長長方形の表面２１形状を備え、上下方向長さの約３分の１高さ部分に、表面２１側に向かって盛り上がった稜線２７を有する指当て用突起２５を形成してある形状としたものである。
【００２７】
図９は、滑落防止体２の更なる他の構造について示したものである。図９Ａは、平面形状がほぼ正方形状の表面２１形状を備え、その左中央部分から右上縁に向かって弧状に伸びる稜線２７を形成した指先当て付け用の指当て用突起２５を形成したものである。図９Ｂの滑落防止体２は、ほぼ正方形状とした表面２１形状を備え、その上下方向中間箇所に横方向に伸びる複数の稜線状隆起２７ａを備え、その間に指腹当て付け用の谷部を形成して指掛け部２８とした形状としたものである。図９Ｃの滑落防止体２は、横長長方形とした表面２１形状を備え、その上下方向ほぼ中間箇所に、左右の側縁部から立ち上がって横方向に伸びる稜線２７を形成し、その上面傾斜部分を指当て用突起２５に形成したものであり、図９Ｄの滑落防止体２は、上下幅の短い横長長方形とした表面２１形状を備え、その上下方向の中央部分に一本の稜線状隆起２７ａを立ち上げ、その上側の傾斜部分を指当て用突起２５に形成したものである。
【００２８】
更に、図９Ｅの滑落防止体２は、上下幅を更に狭くした横長長方形の表面２１形状を備え、その上下方向の中央部分にほぼ横幅一杯に山形に伸びる一本の稜線状隆起２７ａを立ち上げ、その上面側の傾斜部分を指当て用突起２５に形成したものである。また、図９Ｆの滑落防止体２は、上下の側縁を円弧状に形成して横長楕円形の表面２１形状を備え、その上下を前記図９Ｄの滑落防止体２のように、中央部分に一本の稜線状隆起２７ａを形成するように立ち上げ、その上側の傾斜部分を指当て用突起２５に形成したものである。
【００２９】
図１０は第４実施例を示したもので、ここに示した滑落防止体２は、表面２１の全面に微小凹凸２０を形成させた小円形体としたものをスマートフォン１の背面１２に適宜の間隔ｓを隔てて、上下方向に３個貼着させてある構造としたもので、この間隔ｓ部分に指を当て付けて指掛け部２８として使用するようにしたものである。本考案にいう滑落防止体２は、単一品の使用のみに限られるものではなく、このように複数使用してもよい。
【００３０】
図１１，１２は第５実施例を示したもので、これらはタブレットＰＣに関する実施例を示したものである。図１１は、タブレットＰＣ１Ｂを横長姿勢として使用するときの例として、滑落防止体２を右横部分に貼着して使用することを、図１２は、タブレットＰＣ１Ｂを縦長姿勢として使用するときの例として、同様に滑落防止体２を右横部分に貼着して使用することを、それぞれ示したものである。
【００３１】
以上本考案の代表的と思われる実施例について説明したが、本考案は必ずしもこれらの実施例に示した構造のもののみに限定されるものではなく、本考案にいうところの前記の構成要件を備え、前記考案の目的を達成することができ、前記考案の効果を有する範囲内において適宜に改変して実施することができるものである。
【産業上の利用可能性】
【００３２】
本考案にいうところのモバイル通信機器の滑落防止体は、モバイル通信機器の背面側に接着剤を塗布したり、粘着剤の剥離紙を剥離して適宜に貼着するだけの極めて簡単な操作によって、モバイル通信機器類の不測の滑り落ちを大幅に防止することができるので、便利に使用される可能性を大きく秘めたものである。
【符号の説明】
【００３３】
１  機器本体
１１  操作画面
１２  背面
１３  上部
２  滑落防止体
２０  微小凹凸
２１  表面
２２  背面
２３  凹入部
２４  貫通穴
２５  指当て用突起
２６  滑り止め手段
２７  稜線
２８  指掛け部
２ａ  対向面
３  接着剤
【図１】
0003176505.tif 000003
【図２】
0003176505.tif 000004
【図３】
0003176505.tif 000005
【図４】
0003176505.tif 000006
【図５】
0003176505.tif 000007
【図６】
0003176505.tif 000008
【図７】
0003176505.tif 000009
【図８】
0003176505.tif 000010
【図９Ａ】
0003176505.tif 000011
【図９Ｂ】
0003176505.tif 000012
【図９Ｃ】
0003176505.tif 000013
【図９Ｄ】
0003176505.tif 000014
【図９Ｅ】
0003176505.tif 000015
【図９Ｆ】
0003176505.tif 000016
【図１０】
0003176505.tif 000017
【図１１】
0003176505.tif 000018
【図１２】
0003176505.tif 000019